(57)【要約】  蓋部（３ａ）が引かれる又は開放面を開く方向に移動されることで蓋部（３ａ）を上記開く方向に移動させながら収納容器（２ａ）を筐体部（１ａ）から引出し、蓋部（３ａ）が押される又は開放面を閉じる方向に移動されることで蓋部（３ａ）を上記閉じる方向に移動させながら収納容器（２ａ）を筐体部（１ａ）に押し戻す連動機構（４ａ）を備えた。
2016207955.tif 000002
【特許請求の範囲】
【請求項１】
一面が開口した筐体部と、
隣接する二面が開口された箱型部材であり、一方の面の開口が開放されるように前記筐体部に格納される収納容器と、
前記筐体部に格納された前記収納容器の開放面を覆う蓋部と、
前記蓋部が引かれる又は前記開放面を開く方向に移動されることで当該蓋部を当該開く方向に移動させながら前記収納容器を前記筐体部から引出し、前記蓋部が押される又は前記開放面を閉じる方向に移動されることで当該蓋部を当該閉じる方向に移動させながら前記収納容器を前記筐体部に押し戻す連動機構と
を備えた引出し式ケース。
【請求項２】
前記蓋部は、前記収納容器の収納底面よりも低い位置に移動可能である
ことを特徴とする請求項１記載の引出し式ケース。
【請求項３】
前記連動機構は、
前記筐体部の対向する二面に設けられた筐体側カム溝と、
前記収納容器の対向する二面の前記開放面側に設けられた容器側カム溝と、
前記収納容器の対向する二面の中央に設けられた容器側軸と、
前記筐体部と前記収納容器との間に配置され、一端に前記筐体側カム溝に移動可能に連結された軸を有し、他端が前記容器側カム溝に移動可能に連結され且つ前記蓋部に回動可能に連結された軸を有し、中央に前記容器側軸が移動可能に連結されたカム溝を有する連動アームとを備えた
ことを特徴とする請求項１記載の引出し式ケース。
【請求項４】
前記連動機構は、
前記筐体部の対向する二面に設けられた筐体側カム溝と、
前記収納容器の対向する二面の中央に設けられた容器側軸と、
前記筐体部と前記収納容器との間に配置され、一端に前記筐体側カム溝に移動可能に連結された軸を有し、他端が前記蓋部に一体に連結され、中央に前記容器側軸に対して回動可能に連結された溝を有する連動アームとを備えた
ことを特徴とする請求項１記載の引出し式ケース。
【発明の詳細な説明】
【技術分野】
【０００１】
この発明は、筐体から収納容器を引出して物の出し入れを行う引出し式ケースに関するものである。
【背景技術】
【０００２】
従来から、筐体から収納容器を引出して物の出し入れを行う引出し式ケースが知られている（例えば特許文献１参照）。この特許文献１に開示された従来構成では、収納時には低い位置にある引出を、収納庫が引き出されることで上方に移動させるように構成されている。これにより、低い位置の引出であっても容易に物の出し入れを行うことができる。
【先行技術文献】
【特許文献】
【０００３】
【特許文献１】特開２０１１−０１９８３７号公報
【発明の概要】
【発明が解決しようとする課題】
【０００４】
一方、冷蔵庫に引出し式ケースを設け、引出しケース内の温度又は湿度等を外部に対して変える場合がある。また、冷蔵庫の扉が９０度開きの場合、扉の内側にはポケットが設けられており、冷蔵庫内の前面側はスペースに制約がある。このような条件下で、引出しケースとして、前面及び上面を開口することができる機構が求められている。また、収納容器の収納底面に対してスライドさせて物の出し入れが可能となる機構が求められている。また、引出し式ケースの蓋が開いたままの状態で冷蔵庫の扉が閉められた場合でも、破損することなく、引出し式ケースを閉じることができる機構が求められている。
しかしながら、特許文献１に開示された従来構成では、上記要求を満足することができないという課題がある。【０００５】
また、特許文献１に開示されたボックスタイプの引出し式ケースでは、上面からのみの物の出し入れとなるため、引出し式ケースの設置位置が高いと物の出し入れがし難いという課題がある。
また、冷蔵庫に設けられる引出し式ケースとして、収納容器が引出されることで、前面の蓋部が収納容器の側面に沿って上方に回転するように構成された跳ね上げタイプの引出し式ケースも存在する。しかしながら、この構成では、物の出し入れを行う際に蓋部が邪魔になるという課題がある。【０００６】
この発明は、上記のような課題を解決するためになされたもので、引出した際に収納容器の前面及び上面を開くことができる引出し式ケースを提供することを目的としている。
【課題を解決するための手段】
【０００７】
この発明に係る引出し式ケースは、一面が開口した筐体部と、隣接する二面が開口された箱型部材であり、一方の面の開口が開放されるように筐体部に格納される収納容器と、筐体部に格納された収納容器の開放面を覆う蓋部と、蓋部が引かれる又は開放面を開く方向に移動されることで当該蓋部を当該開く方向に移動させながら収納容器を筐体部から引出し、蓋部が押される又は開放面を閉じる方向に移動されることで当該蓋部を当該閉じる方向に移動させながら収納容器を筐体部に押し戻す連動機構とを備えたものである。
【発明の効果】
【０００８】
この発明によれば、上記のように構成したので、引出した際に収納容器の前面及び上面を開くことができる。
【図面の簡単な説明】
【０００９】
【図１】この発明の実施の形態１に係る引出し式ケースの構成例を示す斜視図であり、（ａ）引出し状態を示す図であり、（ｂ）収納状態を示す図である。
【図２】この発明の実施の形態１に係る引出し式ケースの動作例を示す側面図であり、（ａ）収納状態を示す図であり、（ｂ）引出し途中の状態を示す図であり、（ｃ）引出し状態を示す図である。
【図３】この発明の実施の形態２に係る引出し式ケースの構成例を示す斜視図である。
【図４】この発明の実施の形態２における蓋部及び連動アームの構成例を示す斜視図である。
【図５】この発明の実施の形態２に係る引出し式ケースの動作例を示す側面図であり、（ａ）収納状態を示す図であり、（ｂ）引出し途中の状態を示す図であり、（ｃ）引出し状態を示す図である。
【発明を実施するための形態】
【００１０】
以下、この発明の実施の形態について図面を参照しながら詳細に説明する。
実施の形態１．
図１，２はこの発明の実施の形態１に係る引出し式ケースの構成例及び動作例を示す図である。
引出し式ケースは、例えば冷蔵庫内に設けられる蓋付きのケースである。この引出し式ケースは、図１，２に示すように、筐体部１ａ、収納容器２ａ、蓋部３ａ及び連動機構４ａを備えている。
【００１１】
筐体部１ａは、一面（図では前面）が開口した箱型部材であり、収納容器２ａを格納するものである。また、図２に示すように、筐体部１ａの対向する二面（図では左右側面）には、内面に、後述する連動アーム５ａの一端の軸５１ａが移動可能に連結されるカム溝（筐体側カム溝）１１ａが設けられている。
【００１２】
収納容器２ａは、隣接する二面（図では前面及び上面）が開口した箱型部材であり、物を収納するものである。この収納容器２ａは、筐体部１ａに格納可能な大きさに構成され、一方の面の開口（図では前面の開口）が外部に開放される向きで筐体部１ａに格納される。また、収納容器２ａの対向する二面（図では左右側面）には、前方に、連動アーム５ａの他端の軸５２ａが移動可能に連結されるカム溝（容器側カム溝）２１ａが設けられ、また、中央に、連動アーム５ａのカム溝５３ａに移動可能に連結されて支点となる軸（容器側軸）２２ａが設けられている。
【００１３】
蓋部３ａは、筐体部１ａに格納された収納容器２ａの開放面（図では前面の開口）を覆う板状部材である。この蓋部３ａの裏面には、両側面側に、連動アーム５ａの他端の軸５２ａが回動可能に連結される連結部３１ａが設けられている。また、この蓋部３ａの表面には、下部に、使用者が収納容器２ａの引出しを行う際につかむ手掛け部３２ａが設けられている。なお、蓋部３ａを透明部材で構成することで、収納容器２ａに収納された物の確認を容易とすることができる。
【００１４】
連動機構４ａは、蓋部３ａが引かれる又は収納容器２ａの開放面を開く方向（図では下方向）に移動されることで蓋部３ａを上記開く方向に移動させながら収納容器２ａを筐体部１ａから引出し、蓋部３ａが押される又は開放面を閉じる方向（図では上方向）に移動されることで蓋部３ａを上記閉じる方向に移動させながら収納容器２ａを筐体部１ａに押し戻すものである。この連動機構４ａは、実施の形態１では、カム溝（筐体側カム溝）１１ａ、カム溝（容器側カム溝）２１ａ、軸２２ａ及び連動アーム５ａから構成される。
【００１５】
連動アーム５ａは、収納容器２ａの前後方向への移動と、蓋部３ａの上下方向への移動とを連動させるための板状部材である。この連動アーム５ａには、一端に、筐体部１ａのカム溝１１ａに移動可能に連結される軸５１ａが設けられ、他端に、収納容器２ａのカム溝２１ａに移動可能に連結され且つ蓋部３ａの連結部３１ａに回動可能に連結される軸５２ａが設けられている。また、連動アーム５ａには、中央に、収納容器２ａの軸２２ａが移動可能に連結されるカム溝５３ａが設けられている。
【００１６】
次に、上記のように構成された引出し式ケースの動作について、図２を参照しながら説明する。なお図２では、筐体部１ａに設けられたカム溝１１ａを破線で図示している。
図２（ａ）は引出し式ケースの収納状態を示す図である。すなわち、この場合には、収納容器２ａが筐体部１ａに格納されて、収納容器２ａの前面が蓋部３ａにより覆われた状態となっている。
【００１７】
図２（ａ）に示す状態において、収納容器２ａを開く場合には、使用者は蓋部３ａの手掛け部３２ａを掴んで蓋部３ａを引く又は下げる。これにより、図２（ｂ）に示すように、連動アーム５ａが軸２２ａを支点に、一端の軸５１ａが筐体部１ａのカム溝１１ａに沿って上方に移動し、他端の軸５２ａが収納容器２ａのカム溝２１ａに沿って下方に移動する。これにより、蓋部３ａが下がりながら収納容器２ａが筐体部１ａから引き出される。なおこの際、蓋部３ａは上方には回動しない。また図２（ｂ）に示すような引出し途中の状態でも、収納容器２ａの上面及び前面の一部が開くため、斜めから物の出し入れが可能である。
【００１８】
その後、さらに蓋部３ａを引く又は下げると、最終的に図２（ｃ）に示すように、連動アーム５ａが軸２２ａを支点に、一端の軸５１ａが筐体部１ａのカム溝１１ａの上端に当たり、他端の軸５２ａが収納容器２ａのカム溝２１ａの下端に当たる。これにより、蓋部３ａが最下端まで下がり且つ収納容器２ａが最大まで引出される。
また、収納容器２ａを閉じる場合には、上記と逆の動作を行えばよい。
【００１９】
なお、蓋部３ａを、収納容器２ａの収納底面２３ａよりも低い位置に移動可能としてもよい。これにより、例えば大皿を収納容器２ａの収納底面２３ａに対して引きずりながら出し入れすることが可能となる。
【００２０】
以上のように、この実施の形態１によれば、蓋部３ａが引かれる又は収納容器２ａの開放面を開く方向に移動されることで蓋部３ａを上記開く方向に移動させながら収納容器２ａを筐体部１ａから引出し、蓋部３ａが押される又は収納容器２ａの開放面を閉じる方向に移動されることで蓋部３ａを上記閉じる方向に移動させながら収納容器２ａを筐体部１ａに押し戻す連動機構４ａを備えたので、引出した際に収納容器２ａの前面及び上面を開くことができる。その結果、収納容器２ａに収納された物が見やすくなり、物の出し入れが容易となる。
【００２１】
また、蓋部３ａが上下に移動することで、収納容器２ａに収納された物との干渉を少なくすることができる。また、連動機構４ａを設けることで、引出し式ケースの蓋部３ａが開いたままの状態で冷蔵庫の扉が閉められた場合でも、破損することなく、引出し式ケースを閉じることができる。
【００２２】
また、複雑な機構及び電動機構を用いずに引出し式ケースを実現することで、各部品をコンパクトに構成することができ、量産製造性（コスト、品質、精度）が上がる。また、蓋部３ａは従来構成のように回転する構成ではないため、収納容器２ａを引出した状態であっても、蓋部３ａに設けた手掛け部３２ａが常に見えるように構成することができる。また、蓋部３ａの上下移動と収納容器２ａの前後移動とを連動させることで、蓋部３ａのみが落下して音がしたり、破損したりすることを防ぐことができる。
【００２３】
実施の形態２．
実施の形態１の構成は、引出し式ケースの下方に十分なスペースがある場合を想定している。それに対し、実施の形態２では、引出し式ケースの下方のスペースが狭い場合の構成について示す。
【００２４】
図３，５はこの発明の実施の形態２に係る引出し式ケースの構成例及び動作例を示す図である。また、図４は蓋部３ｂと連動アーム５ｂの構成例を示す図である。
引出し式ケースは、例えば冷蔵庫に用いられる蓋付きのケースである。この引出し式ケースは、図３〜５に示すように、筐体部１ｂ、収納容器２ｂ、蓋部３ｂ及び連動機構４ｂを備えている。なお実施の形態２では、図４に示すように、蓋部３ｂと連動機構４ｂの連動アーム５ｂは一体に構成されている。
【００２５】
筐体部１ｂは、一面（図では前面）が開口した箱型部材であり、収納容器２ｂを格納するものである。また、図５に示すように、筐体部１ｂの対向する二面（図では左右側面）には、内面に、連動アーム５ｂの一端の軸５１ｂが移動可能に連結されるカム溝（筐体側カム溝）１１ｂが設けられている。
【００２６】
収納容器２ｂは、隣接する二面（図では前面及び上面）が開口した箱型部材であり、物を収納するものである。この収納容器２ｂは、筐体部１ｂに格納可能な大きさに構成され、一方の面の開口（図では前面の開口）が外部に開放される向きで筐体部１ｂに格納される。また、収納容器２ｂの対向する二面（図では左右側面）には、中央に、連動アーム５ｂの溝５３ｂが回動可能に連結されて支点となる軸（容器側軸）２２ｂが設けられている。
【００２７】
蓋部３ｂは、筐体部１ｂに格納された収納容器２ｂの開放面（図では前面の開口）を覆う板状部材である。この蓋部３ｂの裏面には、両側面側に、連動アーム５ｂの他端が連結されている。また、この蓋部３ｂの表面には、上部に、使用者が収納容器２ｂの引出しを行う際につかむ手掛け部３２ｂが設けられている。なお、蓋部３ｂを透明部材で構成することで、収納容器２ｂに収納された物の確認を容易とすることができる。
【００２８】
連動機構４ｂは、蓋部３ｂが引かれる又は収納容器２ｂの開放面を開く方向（図では下方向）に移動されることで蓋部３ｂを上記開く方向に移動させながら収納容器２ｂを筐体部１ｂから引出し、蓋部３ｂが押される又は開放面を閉じる方向（図では上方向）に移動されることで蓋部３ｂを上記閉じる方向に移動させながら収納容器２ｂを筐体部１ｂに押し戻すものである。この連動機構４ｂは、実施の形態２では、カム溝（筐体側カム溝）１１ｂ、軸２２ｂ及び連動アーム５ｂから構成される。
【００２９】
連動アーム５ｂは、収納容器２ｂの前後方向への移動と、蓋部３ｂの上下方向への移動とを連動させるための板状部材である。この連動アーム５ｂには、一端に、筐体部１ｂのカム溝１１ｂに移動可能に連結される軸５１ｂが設けられ、他端が蓋部３ｂに連結されている。また、連動アーム５ｂには、中央に、収納容器２ｂの軸２２ｂに対して回動可能に連結される溝５３ｂが設けられている。
【００３０】
次に、上記のように構成された引出し式ケースの動作について、図５を参照しながら説明する。なお図５では、筐体部１ｂに設けられたカム溝１１ｂを破線で図示している。
図５（ａ）は引出し式ケースの収納状態を示す図である。すなわち、この場合には、収納容器２ｂが筐体部１ｂに格納されて、収納容器２ｂの前面が蓋部３ｂにより覆われた状態となっている。
【００３１】
図５（ａ）に示す状態において、収納容器２ｂを開く場合には、使用者は蓋部３ｂの手掛け部３２ｂを掴んで蓋部３ｂを引く又は下げる。これにより、図５（ｂ）に示すように、連動アーム５ｂが軸２２ｂを支点に、一端の軸５１ｂが筐体部１ｂのカム溝１１ｂに沿って上方に移動する。これにより、連動アーム５ｂの他端が連結された蓋部３ｂが下がりながら、収納容器２ｂが筐体部１ｂから引き出される。なおこの際、蓋部３ｂは、収納容器２ｂの底面側に滑り込むように下がる。また図５（ｂ）に示すような引出し途中の状態でも、収納容器２ｂの上面及び前面の一部が開くため、斜めから物の出し入れが可能である。
【００３２】
その後、さらに蓋部３ｂを引く又は下げると、最終的に図５（ｃ）に示すように、連動アーム５ｂが軸２２ｂを支点に、一端の軸５１ｂが筐体部１ｂのカム溝１１ｂの上端に当たる。これにより、連動アーム５ｂの他端が連結された蓋部３ｂが最下端まで下がり、且つ収納容器２ｂが最大まで引出される。
また、収納容器２ｂを閉じる場合には、上記と逆の動作を行えばよい。
【００３３】
なお、蓋部３ｂを、収納容器２ｂの収納底面２３ｂよりも低い位置に移動可能としてもよい。これにより、例えば大皿を収納容器２ｂの収納底面２３ｂに対して引きずりながら収納することが可能となる。
【００３４】
以上のように、この実施の形態２によれば、蓋部３ｂと連動アーム５ｂとを一体に構成したので、実施の形態１における効果に加え、収納容器２ｂを引出した際に、蓋部３ｂが収納容器２ｂの底面側に潜り込むように下がるため、引出し式ケースの下方のスペースが狭くても配置することができる。
【００３５】
なお、本願発明はその発明の範囲内において、各実施の形態の自由な組み合わせ、あるいは各実施の形態の任意の構成要素の変形、もしくは各実施の形態において任意の構成要素の省略が可能である。
【産業上の利用可能性】
【００３６】
この発明に係る引出し式ケースは、引出した際に収納容器の前面及び上面を開くことができ、筐体から収納容器を引出して物の出し入れを行う引出し式ケース等に用いるのに適している。
【符号の説明】
【００３７】
１ａ，１ｂ  筐体部、２ａ，２ｂ  収納容器、３ａ，３ｂ  蓋部、４ａ，４ｂ  連動機構、５ａ，５ｂ  連動アーム、１１ａ，１１ｂ  カム溝（筐体側カム溝）、２１ａ  カム溝（容器側カム溝）、２２ａ，２２ｂ  軸（容器側軸）、２３ａ，２３ｂ  収納底面、３１ａ  連結部、３２ａ，３２ｂ  手掛け部、５１ａ，５１ｂ  軸、５２ａ  軸、５３ａ  カム溝、５３ｂ  溝。
【図１】
2016207955.tif 000003
【図２】
2016207955.tif 000004
【図３】
2016207955.tif 000005
【図４】
2016207955.tif 000006
【図５】
2016207955.tif 000007
【手続補正書】
【提出日】平成29年3月9日(2017.3.9)
【手続補正１】
【補正対象書類名】明細書
【補正対象項目名】０００７
【補正方法】変更
【補正の内容】
【０００７】
この発明に係る引出し式ケースは、一面が開口した筐体部と、隣接する二面が開口された箱型部材であり、一方の面の開口が開放されるように筐体部に格納される収納容器と、筐体部に格納された収納容器の開放面を覆い、収納容器の収納底面よりも低い位置に移動可能である蓋部と、蓋部が引かれる又は開放面を開く方向に移動されることで当該蓋部を当該開く方向に移動させながら収納容器を筐体部から引出し、蓋部が押される又は開放面を閉じる方向に移動されることで当該蓋部を当該閉じる方向に移動させながら収納容器を筐体部に押し戻す連動機構とを備えたものである。
【手続補正２】
【補正対象書類名】特許請求の範囲
【補正対象項目名】全文
【補正方法】変更
【補正の内容】
【特許請求の範囲】
【請求項１】
一面が開口した筐体部と、
隣接する二面が開口された箱型部材であり、一方の面の開口が開放されるように前記筐体部に格納される収納容器と、
前記筐体部に格納された前記収納容器の開放面を覆い、前記収納容器の収納底面よりも低い位置に移動可能である蓋部と、
前記蓋部が引かれる又は前記開放面を開く方向に移動されることで当該蓋部を当該開く方向に移動させながら前記収納容器を前記筐体部から引出し、前記蓋部が押される又は前記開放面を閉じる方向に移動されることで当該蓋部を当該閉じる方向に移動させながら前記収納容器を前記筐体部に押し戻す連動機構と
を備えた引出し式ケース。
【請求項２】
前記連動機構は、
前記筐体部の対向する二面に設けられた筐体側カム溝と、
前記収納容器の対向する二面の前記開放面側に設けられた容器側カム溝と、
前記収納容器の対向する二面の中央に設けられた容器側軸と、
前記筐体部と前記収納容器との間に配置され、一端に前記筐体側カム溝に移動可能に連結された軸を有し、他端が前記容器側カム溝に移動可能に連結され且つ前記蓋部に回動可能に連結された軸を有し、中央に前記容器側軸が移動可能に連結されたカム溝を有する連動アームとを備えた
ことを特徴とする請求項１記載の引出し式ケース。
【請求項３】
前記連動機構は、
前記筐体部の対向する二面に設けられた筐体側カム溝と、
前記収納容器の対向する二面の中央に設けられた容器側軸と、
前記筐体部と前記収納容器との間に配置され、一端に前記筐体側カム溝に移動可能に連結された軸を有し、他端が前記蓋部に一体に連結され、中央に前記容器側軸に対して回動可能に連結された溝を有する連動アームとを備えた
ことを特徴とする請求項１記載の引出し式ケース。
【国際調査報告】
2016207955.tif 000008
2016207955.tif 000009